(57)【要約】【課題】複列ころ軸受用の櫛型保持器に関して、各列で回転数が異なり、回転に伴う遠心力によって変形した場合であっても、背面同士の接触が原因となって独立して回転し難くなるのを防ぐ。【解決手段】二つの櫛型保持器５，５は、列毎に複数のころ４を保持すると共に、背面１４，１４同士を接触可能として設けられる。円環部１０の縦断面形状は、背面１４側のうち径方向外側が円弧形状であると共に、一側面１１側のうち径方向内側が円弧形状である。【選択図】      図３
2014202253.tif 000002
【特許請求の範囲】
【請求項１】
内輪と外輪との間に複列状態で複数のころが配置される複列ころ軸受に組み込まれ、列毎に複数の前記ころを保持すると共に、背面同士を接触可能として設けられる櫛型保持器であって、
環状の前記背面を有する円環部、及び、この円環部の前記背面と軸方向反対側である一側面から軸方向に延びかつ周方向に間隔をあけて設けられている複数の柱部を備え、
前記円環部の縦断面形状は、前記背面側のうち径方向外側が円弧形状であると共に、前記一側面側のうち径方向内側が円弧形状であることを特徴とする複列ころ軸受用の櫛型保持器。
【請求項２】
前記円環部の縦断面形状は、円、楕円又は長円である請求項１に記載の複列ころ軸受用の櫛型保持器。
【請求項３】
前記円環部及び前記柱部を含む部分における縦断面の図心位置は、当該円環部の縦断面の範囲内に存在している請求項１又は２に記載の複列ころ軸受用の櫛型保持器。
【請求項４】
内輪と、外輪と、これら内輪と外輪との間に複列状態で配置される複数のころと、列毎に複数の前記ころを保持する二つの独立した保持器と、を備え、
前記保持器それぞれは、環状の背面を有する円環部、及び、この円環部の前記背面と軸方向反対側である一側面から軸方向に延びかつ周方向に間隔をあけて設けられている複数の柱部を備えていると共に、前記背面同士を接触可能として設けられる櫛型保持器であり、
前記円環部の縦断面形状は、前記背面側のうち径方向外側が円弧形状であると共に、前記一側面側のうち径方向内側が円弧形状であることを特徴とする複列ころ軸受。
【発明の詳細な説明】
【技術分野】
【０００１】
本発明は、複列ころ軸受に組み込まれる櫛型保持器、及び、櫛型保持器を備えている複列ころ軸受に関する。
【背景技術】
【０００２】
工作機械において、主軸を回転可能に支持する軸受部には、高い加工精度を維持するために高い剛性が必要とされており、このために複列ころ軸受が用いられている。さらに近年では、主軸の高速回転化が要求されていることから、高速回転に対応することのできる複列ころ軸受が求められている。
【０００３】
図６に示すように、複列ころ軸受１０１は、内輪１０２、外輪１０３、及び、これら内輪１０２と外輪１０３との間に複列状態で配置された複数のころ１０４を備えている。そして、列毎に複数のころ１０４を保持する独立した保持器１０５を備えた複列ころ軸受１０１がある（例えば、特許文献１参照）。つまり、この複列ころ軸受１０１には、二つの保持器１０５，１０５が組み込まれている。各保持器１０５は、円環部１１０、及び、この円環部１１０の一側面１１１から軸方向に延びかつ周方向に間隔をあけて設けられている複数の柱部１２０を備え、櫛型に構成されている。そして、櫛型保持器それぞれにおいて、周方向で隣り合う柱部１２０の間が、ころ１０５を保持するポケットとなる。また、二つの櫛型保持器１０５，１０５は、前記一側面１１１と軸方向反対側の面である背面１１４同士を接触可能として、軸受１０１内に組み込まれている。
【０００４】
櫛型保持器の場合、柱部が円環部から軸方向に突出している片持ち梁状であるため、柱部の先部側は、ある程度自由に変形できる。このため、例えば複列ころ軸受の回転に伴ってころの進み遅れが発生し、これによって柱部に引っ張り力と圧縮力とが繰り返し作用しても、その力を逃がすことができ、破損が生じにくい。これに対して、一対の円環部の間が柱部により連結された構成である、かご型保持器の場合、柱部は両側の円環部に固定されており変形が拘束されることから、柱部に引っ張り力と圧縮力とが繰り返し作用すると、その力を逃がし難く、櫛型保持器に比べて破損が生じやすい。
【先行技術文献】
【特許文献】
【０００５】
【特許文献１】特開２０１２−１０２７９６号公報（図３参照）
【発明の概要】
【発明が解決しようとする課題】
【０００６】
工作機械の主軸の回転数は、低速回転から高速回転（例えば１５０００ｒｐｍ）まで選択され、主軸は様々な回転数で回転する。そして、主軸の回転数の変化に応じて、複列ころ軸受及びこの軸受に組み込まれている櫛型保持器の回転数も変化する。
また、工作機械の場合、主軸の先端部側に大きなラジアル荷重が作用するのに対して、この主軸を支持する複列ころ軸受は、主軸の基部や中間部に設けられることから、図６に示すように、複列ころ軸受１０１において、一方側（左側）のころ列に作用する荷重と他方側（右側）のころ列に作用する荷重とが異なる。このため、一方側のころ列の回転数と他方側のころ列の回転数は僅かではあるが異なり、この結果、一方側（左側）のころ列用の保持器１０５と、他方側（右側）のころ列用の保持器１０５との回転数も異なる。
【０００７】
さらに、保持器１０５，１０５それぞれは回転すると（特に高速回転すると）遠心力によって変形するが、柱部１２０は片持ち梁状であるため径方向外側へ変形しやすく、これにより円環部１１０も変形（ねじれ変形）する。そして、前記のとおり、二つの保持器１０５，１０５は、背面１１４，１１４同士を接触可能として軸受１０１内に組み込まれていることから、前記変形（ねじれ変形）により、背面１１４，１１４同士はその径方向外側において相互押し合う態様で接触する。
【０００８】
一方側のころ列用の保持器１０５と他方側のころ列用の保持器１０５とが異なる回転数で回転しており、また、これら保持器１０５，１０５が高速で回転し遠心力が大きくなり、これに応じて背面１１４，１１４同士の押し合う力が大きくなると、背面１１４，１１４間の摺動抵抗は大きくなる。この場合、二つの保持器１０５，１０５それぞれは独立して回転し難くなり、また、発熱や摩耗の原因となってしまうおそれがある。
【０００９】
そこで、本発明は、各列で回転数が異なり、回転に伴う遠心力によって変形した場合であっても、背面同士の接触が原因となって独立して回転し難くなるのを防ぐことが可能となる櫛型保持器、及び、このような櫛型保持器を備えている複列ころ軸受を提供することを目的とする。
【課題を解決するための手段】
【００１０】
本発明は、内輪と外輪との間に複列状態で複数のころが配置される複列ころ軸受に組み込まれ、列毎に複数の前記ころを保持すると共に、背面同士を接触可能として設けられる櫛型保持器であって、環状の前記背面を有する円環部、及び、この円環部の前記背面と軸方向反対側である一側面から軸方向に延びかつ周方向に間隔をあけて設けられている複数の柱部を備え、前記円環部の縦断面形状は、前記背面側のうち径方向外側が円弧形状であると共に、前記一側面側のうち径方向内側が円弧形状であることを特徴とする。
【００１１】
本発明によれば、一方側のころ列用の櫛型保持器と他方側のころ列用の櫛型保持器とが異なる回転数で回転し、また、遠心力に起因する保持器全体の変形（ねじれ変形）が大きく、背面同士がその径方向外側において接触する場合であっても、各櫛型保持器の円環部の縦断面形状は、背面側のうち径方向外側が円弧形状であるため、この円弧形状の部分で接触することができる。このため、背面同士の接触面積を小さくすることができ、背面間の摺動抵抗が大きくなるのを防ぎ、櫛型保持器それぞれは独立して回転しやすくなる。
さらに、保持器全体の変形により円環部が変形（ねじれ変形）すると、一側面側では、その径方向内側が、ころの端面に接触するおそれがある。しかし、この一側面側のうち径方向内側が円弧形状であるため、ころの端面との接触を防ぐことが可能となる。
【００１２】
また、前記円環部の縦断面形状は、円、楕円又は長円であるのが好ましく、これにより、円環部の縦断面形状に関して、背面側のうち径方向外側を円弧形状とし、かつ、一側面側のうち径方向内側を円弧形状とすることができる。
【００１３】
また、前記円環部及び前記柱部を含む部分における縦断面の図心位置は、当該円環部の縦断面の範囲内に存在しているのが好ましい。
円環部及び柱部を含む部分における前記変形は、おおよそ、当該部分における縦断面の図心を中心としたねじれ変形となる。そこで、この縦断面の図心位置を、円環部の縦断面の範囲内に存在させることにより、ねじれ変形の中心を、円環部のみの縦断面の中心にできるだけ近くすることができる。このため、ねじれ変形により円環部を当該円環部の縦断面の中心まわりに変位させやすくなり、これにより、二つの櫛型保持器は円環部の円弧形状の同士で接触する。
【００１４】
また、本発明は、内輪と、外輪と、これら内輪と外輪との間に複列状態で配置される複数のころと、列毎に複数の前記ころを保持する二つの独立した保持器とを備え、前記保持器それぞれは、環状の背面を有する円環部、及び、この円環部の前記背面と軸方向反対側である一側面から軸方向に延びかつ周方向に間隔をあけて設けられている複数の柱部を備えていると共に、前記背面同士を接触可能として設けられる櫛型保持器であり、前記円環部の縦断面形状は、前記背面側のうち径方向外側が円弧形状であると共に、前記一側面側のうち径方向内側が円弧形状であることを特徴とする。
【００１５】
本発明によれば、一方側のころ列用の櫛型保持器と他方側のころ列用の櫛型保持器とが異なる回転数で回転し、また、遠心力に起因する保持器全体の変形（ねじれ変形）が大きく、背面同士がその径方向外側において接触する場合であっても、各櫛型保持器の円環部の縦断面形状は、背面側のうち径方向外側が円弧形状であるため、この円弧形状の部分で接触することができる。このため、背面同士の接触面積を小さくすることができ、背面間の摺動抵抗が大きくなるのを防ぎ、櫛型保持器それぞれは独立して回転しやすくなる。
さらに、保持器全体の変形により円環部が変形（ねじれ変形）すると、一側面側では、その径方向内側が、ころの端面に接触するおそれがある。しかし、この一側面側のうち径方向内側が円弧形状であるため、ころの端面との接触を防ぐことが可能となる。
【発明の効果】
【００１６】
本発明の櫛型保持器及びこの櫛型保持器を備えている複列ころ軸受によれば、二つの櫛型保持器が、その背面同士の径方向外側において接触しようとすると、円弧形状の部分で接触するため、背面同士の接触面積を減らすことができ、背面間の摺動抵抗が大きくなるのを防ぐことができる。この結果、櫛型保持器それぞれは、独立して回転しやすくなる。
【図面の簡単な説明】
【００１７】
【図１】複列ころ軸受の縦断面図である。
【図２】保持器の斜視図である。
【図３】二つの保持器の断面図である。
【図４】遠心力により変形した保持器を模式的に示す断面図である。
【図５】保持器の円環部と柱部とを含む部分における縦断面図である。
【図６】従来の櫛型保持器を備えている複列ころ軸受の縦断面図である。
【発明を実施するための形態】
【００１８】
以下、本発明の実施の形態を図面に基づいて説明する。
図１は、複列ころ軸受１の縦断面図である。なお、各図面において同一の構成要素に対しては同一の符号（参照番号）を付し、重複する説明は省略する。
【００１９】
この複列ころ軸受１は、例えば、汎用旋盤、ＣＮＣ旋盤、マシニングセンタ、フライス盤等の工作機械の主軸６を支持する軸受として使用され、高速回転する主軸６を高い剛性で支持することが可能である。
主軸６の直径は例えば５０〜１５０ミリ程度であり、主軸６の最大回転数は１００００〜１５０００ｒｐｍとなる。そして、主軸６は、低速回転する場合や、高速回転する場合があり、また、低速又は停止状態から高速回転状態（最大回転数）へと急加速する。
【００２０】
本実施形態の複列ころ軸受１は、内輪２と、外輪３と、これら内輪２と外輪３との間に配置された複数のころ４と、これらころ４を保持する環状の保持器５，５とを備えている。ころ４は、複列状態（二列状態）で配置されており、保持器５，５それぞれは、列毎に独立して複数のころ４を保持している。つまり、この複列ころ軸受１には、独立した二つの保持器５，５が組み込まれている。ころ４の外周面は円筒形であり、この複列ころ軸受１は複列円筒ころ軸受である。
【００２１】
内輪２の外周面には、二列に配置されたころ４が転動する転動面２ａ，２ｂが形成されており、外輪３の内周面の一部が、二列のころ４が転動する転動面３ａ，３ｂとなる。そして、外輪３が工作機械の軸受ハウジング８の内周面に取り付けられており、内輪２に主軸６が挿入されている。この複列ころ軸受１はグリース潤滑されており、内輪２、外輪３、ころ４及び保持器５にはグリースが付着している。
【００２２】
一方側のころ列用の保持器５と他方側のころ列用の保持器５とは、複列ころ軸受１への取り付け方向が異なるが、同じものである。これら保持器５，５は、軸方向に並べて複列ころ軸受１に組み込まれており、各保持器５の軸方向に向く一側面１１が、複列ころ軸受１の軸方向外側へ向くように配置され、保持器５，５の対向する環状の背面１４，１４同士が接触可能となる。そして、保持器５，５それぞれは独立して各ころ列と共に回転することができる。
【００２３】
図２は、保持器５（図１の右側の保持器５）の斜視図である。この保持器５は、櫛型保持器であり、円環形状である円環部１０と、複数の柱部２０とを備えている。複数の柱部２０は、周方向に間隔（等間隔）をあけて設けられており、各柱部２０は、円環部１０の一側面１１から軸方向に向かって延びて形成されている。このため、柱部２０は、円環部１０から突出した片持ち梁状となる。なお、一側面１１の軸方向反対側の面（他側面）が前記背面１４となる。背面１４は、後に説明するが、環状の曲面（図３参照）により構成されており、軸方向の隣りに設置される別の保持器５の背面１４と接触可能となる合わせ面となる。
【００２４】
保持器５は、樹脂製（合成樹脂製）であり、射出成型により製造され、円環部１０と柱部２０とは一体に成型されている。保持器５の材質は、例えば、ポリエーテルエーテルケトン（ＰＥＥＫ）や、ポリアミドとすることができる。
【００２５】
柱部２０は周方向一定間隔おきに設けられており、円環部１０の一側面１１側であって周方向隣り合う柱部２０，２０の間に、ころを保持するポケット７が形成されている。つまり、各ポケット７は、周方向に隣接する柱部２０，２０の互いに対向する対向面２４，２４と、円環部１０の一側面１１とで囲まれた空間からなる。各ポケット７は、軸方向外側に向かって開口しており、保持器５は全体として櫛歯形状となる。
【００２６】
図３は、二つの保持器５，５の断面図である。図３に示すように、円環部１０の縦断面形状は円からなる。なお、縦断面とは、保持器５の軸方向の中心線を含む平面で切断した場合の断面である。二つの保持器５，５それぞれにおいて、円環部１０は円形の縦断面形状を有していることから、この円環部１０の縦断面において、一側面１１側の径方向外側の部分Ｅ１ｏ及び径方向内側の部分Ｅ１ｉが円弧形状となり、また、背面１４側の径方向外側の部分Ｅ２ｏ及び径方向内側の部分Ｅ２ｉが円弧形状となる。これら円弧形状は、円環部１０の中心Ｃｏを中心とした形状である。
【００２７】
保持器５を軸方向一方側（柱部側）から見た場合に、見える範囲が一側面１１であり、見えない範囲が背面１４である。また、これら一側面１１及び背面１４それぞれにおいて、円環部１０の中心Ｃｏよりも径方向外側の範囲が、前記径方向外側の部分（Ｅ１ｏ，Ｅ２ｏ）であり、中心Ｃｏよりも径方向内側の範囲が、前記径方向内側の部分（Ｅ１ｉ，Ｅ２ｉ）である。
【００２８】
図５は、保持器５のうち、円環部１０と柱部２０とを含む部分Ｐにおける縦断面図である。円環部１０及び柱部２０を含む部分Ｐにおける縦断面の図心Ｇの位置は、円環部１０（のみ）の縦断面の範囲内に存在している。図５では、円環部１０の縦断面の範囲をハッチにより示している。なお、図５は、次に説明する「変形」前の状態を示している。
【００２９】
本実施形態の複列ころ軸受１が用いられている工作機械では、主軸６（図１参照）は、低速回転から高速回転（例えば１５０００ｒｐｍ）まで、様々な回転数で回転する。そして、この主軸６の回転数の変化に応じて、複列ころ軸受１及びこの軸受１に組み込まれている保持器５，５の回転数も変化する。
保持器５は、回転することで遠心力により径方向外側へ弾性的に変形するが、その回転数が高くなると保持器５に作用する遠心力が大きくなり、柱部２０は径方向外側へ変形する。特に、柱部２０は片持ち梁状であるため径方向外側へ変形しやすい。
【００３０】
これにより、径方向外側へ変形しようとする複数の柱部２０と連続している円環部１０は、これら柱部２０の影響を受け、図４に示すように、円環部１０の中心Ｃｏ側の点（仮想点）まわりに変位する。つまり、円環部１０には、仮想点まわりのねじれ変形が生じる。なお、図４は、遠心力により変形した保持器５，５を模式的に示す断面図であり、この図では、説明を容易とするために、実際よりも大きく柱部２０が径方向外側へ変形した状態を示している。
【００３１】
また、工作機械の場合、主軸６の先端部側に切削工具等が取り付けられ、この先端部側に大きなラジアル荷重が作用するのに対して、この主軸６を支持する複列ころ軸受１は、主軸６の基部や中間部に設けられる。このため、図１に示す複列ころ軸受１において、一方側（左側）のころ列に作用する荷重と、他方側（右側）のころ列に作用する荷重とが異なり、一方側のころ列（左側）の回転数と他方側のころ列（右側）の回転数は、僅かではあるが異なる。この結果、一方側（左側）のころ列用の保持器５と、他方側（右側）のころ列用の保持器５との回転数も異なる。
【００３２】
そして、これら保持器５，５は回転すると（特に高速回転すると）、前記のとおり遠心力によって変形するが、柱部２０は片持ち梁状であるため径方向外側へ変形しやすく、これにより、複数の柱部２０と一体である円環部１０も変形（ねじれ変形）する。そして、二つの保持器５，５は、背面１４，１４同士を接触可能として軸受１内に組み込まれていることから、前記変形（ねじれ変形）により、背面１４同士はその径方向外側の部分において相互接触しようとする。
【００３３】
なお、図６に示す従来の保持器１０５の場合、一方側（左側）のころ列用の保持器１０５と、他方側（右側）のころ列用の保持器１０５とが異なる回転数で回転し、また、これら保持器１０５，１０５が高速で回転し遠心力が大きくなり、前記ねじれ変形によって、背面１１４，１１４の径方向外側の部分における押し合う力が大きくなると、背面１１４，１１４間の摺動抵抗は大きくなる。この場合、保持器１０５，１０５それぞれは独立して回転し難くなり、また、発熱や摩耗の原因となってしまうおそれがある。
【００３４】
しかし、本実施形態の保持器５（図１参照）によれば、一方側（左側）のころ列用の保持器５と他方側（右側）のころ列用の保持器５とが異なる回転数で回転し、また、遠心力に起因する各保持器５全体の変形（ねじれ変形）が大きくなり、背面１４，１４同士がその径方向外側の部分Ｅ１ｏ，Ｅ２ｏ（図４参照）において接触する場合であっても、円環部１０の縦断面形状は、背面１４側のうち径方向外側の部分Ｅ２ｏが円弧形状であるため、この円弧形状の部分Ｅ２ｏで接触する。このため、背面１４，１４同士の接触面積を小さくすることができ、背面１４，１４間の摺動抵抗が大きくなるのを防ぎ、保持器５，５それぞれは独立して回転しやすくなる。
【００３５】
また、図５において、遠心力に起因する、円環部１０及び柱部２０を含む部分Ｐにおける変形は、おおよそ、この部分Ｐにおける縦断面の図心Ｇ（図５参照）の位置を中心としたねじれ変形となる。そこで、この図心Ｇの位置を、円環部１０の縦断面の範囲内に存在させることにより、ねじれ変形の中心を、できるだけ円環部１０のみの縦断面の中心Ｃｏに近くすることができる。これにより、図４に示すように、ねじれ変形により円環部１０を、円環部１０の縦断面の中心Ｃｏまわりに変位させやすくなり、これにより、二つの保持器５，５は円環部１０の円弧形状の部分Ｅ２ｏ，Ｅ２ｏの同士で接触し、その接触面圧を小さくすることができる。
【００３６】
さらに、各保持器５のポケットに保持されているころ４の端面４ａと、その保持器５の一側面１１との間には、ころ４が自由に回転することができるように隙間ｄが設けられている（図３，図４参照）。
図６に示す従来の保持器１０５の場合、各保持器１０５の円環部１１０が前記のとおりねじれ変形すると、一側面１１１側の径方向内側が、ころ１０４の端面１０４ａに接触するおそれがある。この場合、ころ１０４に抵抗を与え、複列ころ軸受１０１の回転性能を低下させてしまう。
【００３７】
しかし、本実施形態の保持器５の場合（図３、図４参照）、円環部１０の縦断面形状は、前記のとおり背面１４側のうち径方向外側（Ｅ２ｏ）が円弧形状である他に、一側面１１側のうち径方向内側（Ｅ１ｉ）も円弧形状である。
このため、各保持器５の円環部１１０が、円環部１０の中心Ｃｏ側の点まわりにねじれ変形しても、一側面１１が、ころ４の端面４ａに接触するのを防ぐことが可能となる。
【００３８】
以上より、二つの保持器５，５それぞれは、独立して回転しやすくなり、ころ４に対して与える抵抗を抑え、高速回転に適した複列ころ軸受１となる。
【００３９】
また、本実施形態の保持器５は樹脂製であることから、金属製（例えば黄銅製）とするよりも、回転抵抗を小さくすることができ、低騒音であり、高速回転対応性能が高い。
なお、保持器には黄銅製（銅合金製）のものがあるが、特に高速回転の環境で用いられる場合、保持器の内周面、外周面及びポケット面等が、内輪、外輪及びころに接触することで摩耗し、摩耗粉が発生する。この摩耗粉が、複列ころ軸受の潤滑用のグリース中に混入すると、グリースの潤滑性能が劣化し、軸受の焼き付きや損傷の原因になるおそれがある。しかし、本実施形態の保持器５は樹脂製であるため、前記のような摩耗粉によるグリースの潤滑性能の劣化を防ぐことができる。つまり、樹脂製の保持器５は、黄銅製のものに比べて高速回転に適している。
【００４０】
また、保持器５は櫛型であり、柱部２０は円環部１０から軸方向に突出している片持ち梁状であるため、柱部２０の先部側はある程度自由に変形できる。このため、複列ころ軸受１が回転し、ころ４の進み遅れによって保持器５に引っ張り力と圧縮力とが繰り返し作用しても、その力を逃がすことができ、破損が生じにくい。
【００４１】
また、本発明の複列ころ軸受及び保持器は、図示する形態に限らず本発明の範囲内において他の形態のものであってもよい。例えば、前記実施形態では、円環部１０の縦断面形状を、一つの半径からなる円形状としたが、これ以外であってもよく、円環部１０の縦断面形状は、楕円又は長円であってもよい。なお、この場合、縦断面において、径方向を長手方向とする楕円又は長円とするのが好ましい。この場合においても、円環部１０の縦断面形状に関して、背面１４側のうち径方向外側（Ｅ２ｏ）を円弧形状とし、かつ、一側面１１側のうち径方向内側（Ｅ１ｉ）を円弧形状とすることができる。
また、複列ころ軸受１は、工作機械の主軸６の支持以外の用途であってもよい。
【符号の説明】
【００４２】
１：複列ころ軸受    ２：内輪    ３：外輪
４：ころ    １０：円環部    １１：一側面
１４：背面    ２０：柱部    Ｅ１ｏ：一側面側の径方向外側の部分
Ｅ１ｉ：一側面側の径方向内側の部分    Ｅ２ｏ：背面側の径方向外側の部分
Ｅ２ｉ：背面側の径方向内側の部分    Ｐ：円環部と柱部とを含む部分    Ｇ：図心
【図１】
2014202253.tif 000003
【図３】
2014202253.tif 000004
【図４】
2014202253.tif 000005
【図５】
2014202253.tif 000006
【図６】
2014202253.tif 000007
【図２】
2014202253.tif 000008